(57)【要約】【課題】弁板のバタつきが起こらず、弁板のバタつきに起因する騒音の発生がない防風弁を提供することを課題とする。【解決手段】組み付け対象となる給気口等に形成される開口４に嵌装される逆台形状の開口枠７を備えた円形枠体６と、前記開口枠７を開閉する前記開口枠７に対応する形状であって前記開口枠７の下辺部に枢支される弁板８とから成り、前記開口枠７の端面は、上方が前方に突出する傾斜状態にされ、前記弁板８の枢軸に、前記弁板８を常時前記開口枠７から離れる方向に付勢するネジリコイルバネが巻装されることにより、前記弁板８を閉じるように作用する風圧と、それを開くように作用する風圧とに差が生ずるようにしたことを特徴とする。【選択図】図１
2008095300.tif 000002
【特許請求の範囲】
【請求項１】
組み付け対象となる給気口等に形成される開口に嵌装される逆台形状の開口枠を備えた円形枠体と、前記開口枠を開閉する前記開口枠に対応する形状であって前記開口枠の下辺部に枢支される弁板とから成り、
前記開口枠の端面は、上方が前方に突出する傾斜状態にされ、
前記弁板の枢軸に、前記弁板を常時前記開口枠から離れる方向に付勢するネジリコイルバネが巻装されることにより、前記弁板を閉じるように作用する風圧と、それを開くように作用する風圧とに差が生ずるようにしたことを特徴とする防風弁。
【請求項２】
前記弁板は、その最傾倒時において水平状態よりも上向き状態に保持される請求項１に記載の防風弁。
【発明の詳細な説明】
【技術分野】
【０００１】
本発明は防風弁、より詳細には、例えば、給気のために壁面を貫いて設置される給気口内に組み込まれ、強風時に自動的に開口を閉塞して、そこから風雨が吹き込むことを確実に防止し得る防風弁に関するものである。
【背景技術】
【０００２】
屋内への給気のために、壁面に穿設される貫通孔に給気口が設置される。給気口は基本的には円筒体で、その屋外側開口に適宜グリルが嵌め付けられ、屋内側端面には、給気ガラリが取り付けられる。
【０００３】
この給気口の屋外側端面は大気に晒されるため、強風時にはそこから風雨が入り込むおそれがある。そのため、強風時にその風力によって動作して給気口を閉塞することにより、風雨が給気口内へ入り込むことを防止する機能を備えた各種構成が提案されている（例えば、特開平５−２９５９５９号公報、特開平６−１２９１６３号公報、特開平１０−３７６２０号公報、実公昭６２−３４１８３号公報）。
【０００４】
上記従来の防風手段の多くは、上部を枢支された弁板が強風によって回動して通気路を閉塞するというものであるが、その構成の場合は平時において弁板が垂れ下がるために通気路入口の一部が塞がれ、通気開口面積が減少するため、十分な給気量を確保するためにはサイズを大きくしなければならないという欠点がある。
【０００５】
また、一般に、回動する弁板の支点の位置は、弁板の重心位置と同じかそれよりも上方に位置する構造となっている。かかる構成の場合、弁板が閉じるよう作用する風圧と、弁板が開くよう作用する室内圧とが同じであるため、その開閉する圧力付近において弁板がバタつき、騒音を発しやすいという問題がある。この問題は、弁板の支点が重心位置より下方にある場合においても起こる。
【０００６】
【特許文献１】特開平５−２９５９５９号公報
【特許文献２】特開平６−１２９１６３号公報
【特許文献３】特開平１０−３７６２０号公報
【発明の開示】
【発明が解決しようとする課題】
【０００７】
本発明は上記従来の防風手段における欠点を除去すべくなされたもので、簡易な構成であって、給気口等に簡単に組み込むことができ、平時において十分な通気開口を確保でき、強風時には確実に動作して通気路を閉塞して風雨が屋内に入り込むことを防止でき、風が弱まった際には確実に動作して通気可能状態に復帰することができ、しかも、弁板のバタつきが起こらず、弁板のバタつきに起因する騒音の発生がない防風弁を提供することを課題とする。
【課題を解決するための手段】
【０００８】
上記課題を解決するための請求項１に記載の発明は、組み付け対象となる給気口等に形成される開口に嵌装される逆台形状の開口枠を備えた円形枠体と、前記開口枠を開閉する前記開口枠に対応する形状であって前記開口枠の下辺部に枢支される弁板とから成り、前記開口枠の端面は、上方が前方に突出する傾斜状態にされ、前記弁板の枢軸に、前記弁板を常時前記開口枠から離れる方向に付勢するネジリコイルバネが巻装されることにより、前記弁板を閉じるように作用する風圧と、それを開くように作用する風圧とに差が生ずるようにしたことを特徴とする防風弁である。
【０００９】
好ましくは、前記弁板は、その最傾倒時において水平状態よりも上向き状態に保持されるようにされる。
【発明の効果】
【００１０】
本発明は上記のとおりであって、簡易な構成であって、各種給気口等に簡単に組み込むことができ、平時において十分な通気開口を確保でき、強風時には確実に動作して通気路を閉塞して風雨が屋内に入り込むことを防止でき、風が弱まった際には確実に動作して通気可能状態に復帰することができ、開口率が比較的高くて通気効率がよく、しかも、弁板のバタつきが起こらず、弁板のバタつきに起因する騒音の発生するおそれがないという効果がある。
【発明を実施するための最良の形態】
【００１１】
本発明を実施するための好ましい形態について、添付図面に依拠して説明する。図１は、本発明に係る防風弁を、それが組み付けられる給気口の一例と共に示す斜視図である。そこにおける給気口はフランジ付き筒体１を備え、該筒体１は、外壁面２１に穿設される貫通孔２２に、屋外側から挿入される（図２、図３参照）。
【００１２】
筒体１は、四角形、円形等のフランジ２を有しており、このフランジ２が貫通孔２２への挿入時に貫通孔２２入口の周縁部に当接することにより、筒体１の位置決めがなされ、また、フランジ２をそこにビス止め等することにより、筒体１が貫通孔２２部分に確固と固定される。そのために、フランジ２の適宜個所に、ビス穴３が穿設される。筒体１の屋外側端面、即ち、フランジ設置側端面は全面開口され、そこに、図示してないが、適宜グリルが嵌め付けられる。屋内側端面は、通例、上部及び下部が閉塞された横長開口４とされ、上側閉塞部１５の下辺と下側閉塞部１６の上辺とは、平行な直線状とされる。
【００１３】
５は本発明に係る防風弁で、筒体１に対応する形状の円形枠体６と、円形枠体６の端面に突出するようにして横長開口４に嵌合し得る形状に形成されていて、筒体１への組み付け時に横長開口４内に嵌合される開口枠７と、開口枠７を開閉する弁板８とから成る。開口枠７と弁板８は、後述する理由によって逆台形状とされる。
【００１４】
開口枠７の端面は、図１に明示されるように、上方に行く程前方に突出する傾斜状態となるようにされる。このようにするのは、弁板８の傾倒動作を助けるためである。即ち、弁板８は、後述するように強風によって起立させられた際に開口枠７を閉塞するが、その後、風が弱まるにつれて確実に傾倒動作をして開口枠７を開口する必要があるところ、開口枠７端面が傾斜しているために、弁板８はその起立動作時に、垂直状態になる前に当該端面に当たって傾斜状態にて停止させられる。
【００１５】
弁板８は、このように、垂直状態から少し傾いた状態にあるため、自重で自発的に傾こうとするので、その後の傾倒動作が容易且つ確実なものとなるが（図２、図３参照）、このことは、弁板８が開くように作用する圧力は、弁板８が閉じるように作用する圧力よりも小さくて足りることを意味する。
【００１６】
また、弁板８が傾倒する場合、弁板８の下辺両角部が筒体１の内側面に当たらないようにするため、弁板８（開口枠７）の下辺の長さは横長開口４の下辺の長さよりも短くする必要がある。仮に、弁板８が垂直状態になるとしたら、弁板８が垂直状態になる前にその上辺の両角が筒体１の内側面に接触しないようにするためには、やはり上辺の長さは下辺と同様に短くする必要がある。この場合、弁板８及び開口枠７は、横長開口４に対してその上下において狭まった長方形となり、横長開口４に対する開口枠７の開口面積比率は小さくなる。
【００１７】
しかるに、本発明においては開口枠７の端面が傾斜しているので、その上辺並びに弁板８の上辺の長さを横長開口４の上側閉塞部１５の下辺の長さに近いものとしても、開口枠７及び弁板８の下辺の長さを横長開口４の下側閉塞部１６の上辺の長さよりも短くしさえすれば、弁板８の開閉動作に支障はない。
【００１８】
かくして、開口枠７及び弁板８は、上辺が長い逆台形状とすることができ、そのようにした場合、横長開口４に対する開口枠７の開口面積比率は、上記長方形とした場合に比較して増大し、通気効率も上昇する。なお、この場合の開口枠７及び弁板８の両側辺は、外に向かって湾曲する形状とすることもできる。
【００１９】
更に、弁板８の傾倒動作を助けるために、開口枠７の下辺部に設置される蓋枢支部９にネジリコイルバネ（図示してない）が配備される。ネジリコイルバネは、弁板８の枢軸を取り巻くように配装され、常時弁板８を開口枠７から離すように作用する。上述したように、弁板８は自重で自発的に傾倒動作をするので、ネジリコイルバネの弾発力は、それ程強くする必要はない。余り強くし過ぎると、当然弁板８が閉じにくくなってしまうので、ネジリコイルバネの開き角度、線径、巻き数と、弁板８の材厚、寸法等を考慮して、最適な強さに設定する。
【００２０】
言うまでもなく、このネジリコイルバネは、弁板８が開くように作用するので、その分、弁板８が開くように作用する圧力は小さくて済むことになる。このネジリコイルバネが存在することと、開口枠７が傾斜状態にあることとによって、弁板８を開閉させるための内圧と外圧との差が大きなものとなる。従って、弁板８がある一定の圧力付近で開閉することがなくなるので、開時と閉時の圧力にタイムラグが生ずる。そのために、弁板８が開閉時にバタついて騒音を発するおそれがない。
【００２１】
更に好ましくは、弁板８を、その最傾倒時において、完全な水平状態よりも少し上向き状態に停止させて保持するための上向き停止手段が設けられる。例えば上向き停止手段は、弁板８の下辺から直角方向に延びるように穿設されるストッパー１１と、開口枠７の底面に設置されてストッパー１１を受ける断面Ｌ字形の受板１２とで構成される。受板１２は、防風弁５の筒体１への組付け時に、下側閉塞部１６に引掛けられる。
【００２２】
この構成の場合、弁板８が図３に示す起立状態から傾倒し、ある角度まで傾斜すると、ストッパー１１が受板１２の水平部に当たるために、それ以上の傾斜が阻止される（図２の状態）。その結果弁板８は、水平状態よりも上向き状態に保持されることになるので、下側からの風を受けやすくなり、強風時に迅速且つ確実に起立して開口枠７を閉塞する。
【００２３】
上向き停止手段は上記構成のものに限られる訳ではなく、筒体１の内側面に設けた突部で弁板８を定角度にて受ける構成、その他種々の構成を採用することができることは言うまでもない。
【００２４】
１３は開口枠７の上側の円形枠体６面に突設されたフックで、垂直方向に若干の弾性を有する。フック１３は、開口枠７の横長開口４内嵌装時に横長開口４の上側閉塞部１５の下辺に当たり、下方に押されて若干撓むことにより横長開口４内に入り込み、その先端の楔型部が上側閉塞部１５の下縁に引掛かることにより、開口枠７の抜け、換言すれば、防風弁５の脱落を防止するよう作用する。また、１４は円形枠体６面の左右に突設された突起で、筒体１の内側面に当たることにより、防風弁５の横ずれを阻止するよう作用する。
【００２５】
上記構成において、弁板８は、平時自重及びネジリコイルバネの作用により傾倒し、受板１２に受け止められて上向きの状態にある（図２）。その状態である程度の強い風を受けると起立方向に旋回し、開口枠７の通気面積を減少させて、風雨が入り込むことを防止する。そして、更に強い風を受けると、更に起立して開口枠７を完全に閉塞する。かくして、風雨が開口枠７内に入り込むことが確実に防止される。この弁板８の起立動作は、弁板８が上向き状態に保持されていることにより、敏感に且つ確実になされる。
【００２６】
そして、風が静まると、上述したように弁板８は自重とネジリコイルバネの作用で傾倒するが、この傾倒動作は、開口枠７の端面が傾斜していることによって助けられて、迅速且つ確実に進行する。
【００２７】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２８】
【図１】本発明の一実施形態を給気口と共に示す斜視図である。
【図２】本発明の一実施形態の動作（蓋の最傾倒時の状態）を示す縦断面図である。
【図３】本発明の一実施形態の動作（蓋の最起立時の状態）を示す縦断面図である。
【符号の説明】
【００２９】
１    筒体
２    フランジ
３    ビス穴
４    横長開口
５    防風弁
６    円形枠体
７    開口枠
８    弁板
９    蓋枢支部
１１    ストッパー
１２    受板
１３    フック
１４    突起
１５    上側閉塞部
１６    下側閉塞部
２１    外壁面
２２    貫通孔
【図１】
2008095300.tif 000003
【図２】
2008095300.tif 000004
【図３】
2008095300.tif 000005